(57)【要約】デジタル放送情報の伝送を改善するために、主送信機（１２）から少なくとも１台のリピータ（１４）に、デジタル放送情報を送信する方法を提案する。第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運ぶ複合デジタル放送信号が生成される。そして、複合デジタル放送信号は、第２のデジタル放送情報（ＤＶＢ−Ｈ）が第１のデジタル放送情報（ＤＶＢ−Ｔ）の送信で使用される伝送モードで送信されるように放送される。
2008524943.tif 000002
【特許請求の範囲】
【請求項１】
主送信機から少なくとも１台のリピータにデジタル放送情報を伝送する方法であって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運ぶ複合デジタル放送信号を生成するステップと、
前記複合デジタル放送信号を放送するステップと、
を備え、前記第２のデジタル放送情報（ＤＶＢ−Ｈ）は、前記第１のデジタル放送情報（ＤＶＢ−Ｔ）の伝送で使用される伝送モードで送信されることを特徴とする方法。
【請求項２】
前記複合デジタル放送信号の生成は、
前記第１のデジタル放送情報（ＤＶＢ−Ｔ）と前記第２のデジタル放送情報（ＤＶＢ−Ｈ）とを、デジタル放送ビットストリーム上に時分割多重化するステップと、
前記デジタル放送ビットストリームをチャネル符号化するステップと、
キャリア周波数にシフトされたベースバンド信号の生成のために、チャネル符号化された前記デジタル放送ビットストリームを変調し周波数シフトするステップと、
を備えることを特徴とする請求項１に記載の方法。
【請求項３】
前記第１のデジタル放送情報（ＤＶＢ−Ｔ）と前記第２のデジタル放送情報（ＤＶＢ−Ｈ）とを、前記主送信機から前記複合デジタル放送信号を処理する前記少なくとも１台のリピータへの前記デジタル放送ビットストリーム上に時分割多重化するために使用される時分割多重化スキームのシグナリングステップを備えることを特徴とする請求項２に記載の方法。
【請求項４】
前記第１のデジタル放送情報（ＤＶＢ−Ｔ）と前記第２のデジタル放送情報（ＤＶＢ−Ｈ）との多重伝送のために、前記第１のデジタル放送情報（ＤＶＢ−Ｔ）の伝送に通常利用可能なデータレートを分割するステップを備えることを特徴とする請求項２または３に記載の方法。
【請求項５】
前記複合デジタル放送信号の生成は、
第１のデジタル放送ビットストリームの第１のチャネル符号化ステップと、
第２のデジタル放送ビットストリームの第２のチャネル符号化ステップと、
チャネル符号化された前記第１の放送ビットストリームの第１のコンステレーションマッピングステップと、
チャネル符号化された前記第２の放送ビットストリームの第２のコンステレーションマッピングステップと、
複合コンステレーションマッピング結果の生成のために、前記第１のコンステレーションマッピング結果と前記第２のコンステレーションマッピング結果とのオーバーレイを生成するステップと、
変調および送信機キャリア周波数への周波数シフトを実行するステップと、
を備え、前記第２のデジタル放送情報（ＤＶＢ−Ｈ）の信号電力は、前記第１のデジタル放送情報（ＤＶＢ−Ｔ）の信号電力より小さくなるように調整されることを特徴とする請求項１に記載の方法。
【請求項６】
前記複合コンステレーションマッピング結果は、
チャネル符号化された前記第１の放送ビットストリームを、第１のコンステレーション図内の複数のコンステレーション点の１つの第１のコンステレーション点にマッピングするステップと、
チャネル符号化された前記第２の放送ビットストリームを、第２のコンステレーション図内の複数のコンステレーション点の１つの第２のコンステレーション点にマッピングするステップと、
前記第１のコンステレーション点と前記第２のコンステレーション点とのベクトルオーバーレイにより、前記複合コンステレーションマッピング結果を生成するステップと、
による階層変調を使用して生成されることを特徴とする請求項５に記載の方法。
【請求項７】
第２のコンステレーション図内の前記複数のコンステレーション点は、前記第１のコンステレーション図内のコンステレーション点の周りに群がることを特徴とする請求項６に記載の方法。
【請求項８】
前記変調し周波数シフトするステップは、前記デジタル放送情報を前記少なくとも１台のリピータに転送するために、前記ベースバンド信号を第１のキャリア周波数にシフトすることを特徴とする請求項２または５に記載の方法。
【請求項９】
前記周波数シフトするステップは、さらに、前記デジタル放送情報を少なくとも１台の携帯装置に直接転送するために、前記ベースバンド信号を第２のキャリア周波数にシフトすることを特徴とする請求項８に記載の方法。
【請求項１０】
前記第２のキャリア周波数は、前記ベースバンド信号を前記少なくとも１台の携帯装置に転送するために、前記少なくとも１台のリピータが使用するキャリア周波数と同一であることを特徴とする請求項９に記載の方法。
【請求項１１】
デジタル放送情報の配信のためにリピータを動作する方法であって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運ぶ複合デジタル放送信号を受信するステップと、
前記複合デジタル放送信号、または、前記第１のデジタル放送情報または前記第２のデジタル放送情報を運ぶデジタルリピータ転送信号を転送するステップと、
を備えることを特徴とする方法。
【請求項１２】
前記複合デジタル放送信号を転送するステップは、送信機で使用される第１のキャリア周波数から前記リピータで使用される第２のキャリア周波数へ、前記複合デジタル放送信号を周波数シフトするステップにより実行されることを特徴とする請求項１１に記載の方法。
【請求項１３】
前記デジタルリピータ転送信号を導出するステップは、
前記複合デジタル放送信号から、第１のデジタル放送情報または第２のデジタル放送情報を反映する転送部分（ＤＶＢ−Ｈ）を決定するステップと、
前記デジタルリピータ転送信号の決定のために、前記複合デジタル放送信号から非転送部分（ＤＶＢ−Ｔ）を差し引くステップと、
を備えることを特徴とする請求項１１に記載の方法。
【請求項１４】
前記複合デジタル放送信号は、前記送信機側において前記第１のデジタル放送情報（ＤＶＢ−Ｔ）と前記第２のデジタル放送情報（ＤＶＢ−Ｈ）との時分割多重化を通じて生成され、転送部分（ＤＶＢ−Ｈ）を決定するステップと非転送部分（ＤＶＢ−Ｔ）を受信し差し引くステップは、
復調されたデジタル放送ビットストリームの生成のために、前記第１のキャリア周波数に従って前記複合デジタル放送信号を周波数シフトし復調するステップと、
多重化されたデジタル放送ビットストリームを生成するために、リピータチャネル復号化スキームに従って、復調された前記デジタル放送ビットストリームをチャネル復号化するステップと、
第１のデジタル放送ビットストリームまたは第２のデジタル放送ビットストリームとしてデジタルリピータビットストリームを導出するために、前記送信機側で使用される時分割多重化スキームに従って多重化された前記デジタル放送ビットストリームを逆多重化するステップと、
チャネル符号化されたデジタルリピータ転送ビットストリームの生成のために、リピータチャネル符号化スキームに従って、前記デジタルリピータビットストリームをチャネル符号化するステップと、
前記デジタルリピータ転送信号を生成するために、リピータ変調スキームおよびリピータ転送キャリア周波数に従って、チャネル符号化された前記デジタルリピータビットストリームを変調し周波数シフトするステップと、
を備えることを特徴とする請求項１３に記載の方法。
【請求項１５】
伝送速度の修正およびデータバーストの伸長のために、時間軸に沿って前記第１のデジタル放送ビットストリームまたは前記第２のデジタル放送ビットストリームに対応するデジタルリピータビットストリームを再配列するステップを備えることを特徴とする請求項１４に記載の方法。
【請求項１６】
チャネル符号化の前に、前記デジタルリピータビットストリームを前方誤り訂正符号化する追加的なステップを備えることを特徴とする請求項１４または１５に記載の方法。
【請求項１７】
チャネル符号化の前に、
前記デジタルリピータビットストリーム内の放送データグラムを特定するステップと、
特定した前記放送データグラムにプロトコルカプセル化を適用するステップと、
を備えることを特徴とする請求項１４に記載の方法。
【請求項１８】
前記リピータ転送キャリア周波数は、複合デジタル放送信号を放送する送信機から前記リピータと通信する少なくとも１台の携帯装置へ、前記複合デジタル放送信号を直接転送するのに使用するキャリア周波数と同一であることを特徴とする請求項１４に記載の方法。
【請求項１９】
前記転送部分（ＤＶＢ−Ｈ）を決定するステップは、
前記複合デジタル放送信号を第１のリピータベースバンド信号に周波数シフトし復調するステップと、
送信機側で実行されたベクトルオーバーレイステップを逆にすることにより、前記第１のベースバンド信号を、前記第１のデジタル放送情報を反映する逆マッピングされた第１の放送ビットストリームと前記第２のデジタル放送情報を反映する逆マッピングされた第２の放送ビットストリームとに分離するステップであって、ここで、
第１のデジタル放送情報（ＤＶＢ−Ｔ）は、チャネル符号化された前記第１の放送ビットストリームから始まり、第１のコンステレーション図内の複数のコンステレーション点の１つの第１のコンステレーション点にマッピングされ、
第２のデジタル放送情報（ＤＶＢ−Ｈ）は、チャネル符号化された前記第２の放送ビットストリームから始まり、第２のコンステレーション図内の複数のコンステレーション点の１つの第２のコンステレーション点にマッピングされ、
前記ベースバンド信号は、前記第１のコンステレーション点と前記第２のコンステレーション点とのベクトルオーバーレイにより生成されることを想定する、ステップと、
前記リピータから転送するために、コンステレーションマッピングされた前記第１の放送ビットストリームまたはコンステレーションマッピングされた前記第２の放送ビットストリームを選択するステップと、
を備えることを特徴とする請求項１３に記載の方法。
【請求項２０】
前記デジタルリピータ転送信号を導出するステップは、選択された第１のコンステレーションマッピングされた放送ビットストリームまたは第２のコンステレーションマッピングされた放送ビットストリームを変調しリピータ転送キャリア周波数に周波数シフトするステップを備えることを特徴とする請求項１９に記載の方法。
【請求項２１】
前記デジタルリピータ転送信号を導出するステップは、
分離された第１のコンステレーション逆マッピングされた放送ビットストリームまたは第２のコンステレーション逆マッピングされた放送ビットストリームから第２のリピータベースバンド信号を生成するステップと、
前記デジタルリピータ転送信号の生成のために、前記第２のリピータベースバンド信号を変調し周波数シフトするステップと、
を備えることを特徴とする請求項１９に記載の方法。
【請求項２２】
分離された第１のコンステレーション逆マッピングされた放送ビットストリームまたは第２のコンステレーション逆マッピングされた放送ビットストリームから第２のリピータベースバンド信号を生成する前記ステップは、
チャネル復号化されたデジタルリピータビットストリームを生成するために、前記逆マッピングされたデジタルリピータビットストリームをチャネル復号化するステップと、
前記第２のリピータベースバンド信号の生成のために、前記チャネル復号化されたデジタルリピータビットストリームをチャネル再符号化するステップと、
を備えることを特徴とする請求項２１に記載の方法。
【請求項２３】
前記チャネル復号化されたリピータ転送ビットストリームのチャネル符号化の前に、前方誤り訂正する追加的なステップを備えることを特徴とする請求項２２に記載の方法。
【請求項２４】
デジタル放送情報を送信する送信機であって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運ぶ複合デジタル放送信号を生成するように構成された放送信号生成部と、
前記第１のデジタル放送情報（ＤＶＢ−Ｔ）の伝送に使用される伝送モードで、前記複合デジタル放送信号を少なくとも１台のリピータに放送するように構成された放送部と、
を備えることを特徴とする送信機。
【請求項２５】
前記放送信号生成部は、
前記第１のデジタル放送情報（ＤＶＢ−Ｔ）と前記第２のデジタル放送情報（ＤＶＢ−Ｈ）とを、デジタル放送ビットストリーム上に多重化するように構成された多重化部と、
前記デジタル放送ビットストリームをチャネル符号化するように構成されたチャネル符号化部と、
前記複合デジタル放送信号の生成のために、チャネル符号化された前記デジタル放送ビットストリームを変調し周波数シフトするように構成された変調部と、
を備えることを特徴とする請求項２４に記載の送信機。
【請求項２６】
前記第１のデジタル放送情報（ＤＶＢ−Ｔ）と前記第２のデジタル放送情報（ＤＶＢ−Ｈ）とを前記デジタル放送ビットストリーム上に多重化するために、前記送信機から前記複合デジタル放送信号を処理する前記少なくとも１台のリピータへ、前記多重化部で使用する時分割多重化スキームを信号送信するように構成されたシグナリング部を備えることを特徴とする請求項２５に記載の送信機。
【請求項２７】
前記多重化部は、前記第１のデジタル放送情報（ＤＶＢ−Ｔ）と前記第２のデジタル放送情報（ＤＶＢ−Ｈ）とを多重伝送するために、前記第１のデジタル放送情報（ＤＶＢ−Ｔ）の伝送に通常利用可能なデータレートを分割するように構成されることを特徴とする請求項２５または２６に記載の送信機。
【請求項２８】
前記放送信号生成部は、
第１のデジタル放送ビットストリームをチャネル符号化するように構成された第１のチャネル符号化部と、
第２のデジタル放送ビットストリームをチャネル符号化するように構成された第２のチャネル符号化部と、
チャネル符号化された前記第１の放送ビットストリームをコンステレーションマッピングするように構成された第１のコンステレーションマッピング部と、
チャネル符号化された前記第２の放送ビットストリームをコンステレーションマッピングするように構成された第２のコンステレーションマッピング部と、
複合コンステレーションマッピング結果の生成のために、前記第１のコンステレーションマッピング結果と前記第２のコンステレーションマッピング結果とをオーバーレイするように構成されたオーバーレイ部と、
を備え、前記放送部は、送信機キャリア周波数で前記複合コンステレーションマッピング結果を放送するように構成され、前記第２のデジタル放送情報（ＤＶＢ−Ｈ）の信号電力を前記第１のデジタル放送情報（ＤＶＢ−Ｔ）の信号電力より小さくなるように調整することを特徴とする請求項２４に記載の送信機。
【請求項２９】
前記第１のコンステレーションマッピング部は、チャネル符号化された前記第１の放送ビットストリームを、第１のコンステレーション図内の複数のコンステレーション点の１つの第１のコンステレーション点にマッピングするように構成され、
前記第２のコンステレーションマッピング部は、チャネル符号化された前記第２の放送ビットストリームを、第２のコンステレーション図内の複数のコンステレーション点の１つの第２のコンステレーション点にマッピングするように構成され、
前記オーバーレイ部は、前記第１のコンステレーションマッピング部の出力と前記第２のコンステレーションマッピング部の出力とのベクトルオーバーレイにより、前記複合コンステレーション結果を生成するように構成される
ことを特徴とする請求項２８に記載の送信機。
【請求項３０】
前記第２の変調部は、前記第１の変調部により操作される前記第１のコンステレーション図内のコンステレーション点の周りに群がる、第２のコンステレーション図内の複数のコンステレーション点を操作することを特徴とする請求項２９に記載の送信機。
【請求項３１】
前記放送部は、少なくとも１台のリピータに前記デジタル放送情報を転送するために、変調しベースバンド信号を第１のキャリア周波数にシフトするように構成されることを特徴とする、請求項２５または２８に記載の送信機。
【請求項３２】
前記放送部は、少なくとも１台の携帯装置に前記デジタル放送情報を直接転送するために、前記ベースバンド信号を第２のキャリア周波数にシフトするように構成されることを特徴とする請求項３１に記載の送信機。
【請求項３３】
前記第２のキャリア周波数は、前記ベースバンド信号を前記少なくとも１台の携帯装置に転送するために、前記少なくとも１台のリピータが使用するキャリア周波数と同一であることを特徴とする請求項３２に記載の送信機。
【請求項３４】
少なくとも１台の携帯装置にデジタル放送情報を配信するリピータであって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運ぶ複合デジタル放送信号を受信するように構成された受信部と、
前記複合デジタル放送信号、または、前記第１のデジタル放送情報または前記第２のデジタル放送情報を運ぶデジタルリピータ転送信号を転送するように構成された転送部と、
を備えることを特徴とするリピータ。
【請求項３５】
前記転送部は、送信機で使用される第１のキャリア周波数から前記リピータで使用される第２のキャリア周波数へ前記複合デジタル放送信号を周波数シフトすることにより、前記複合デジタル放送信号を転送するように構成されることを特徴とする請求項３４に記載のリピータ。
【請求項３６】
前記転送部は、
前記複合デジタル放送信号から、第１のデジタル放送情報または第２のデジタル放送情報を反映する転送部分（ＤＶＢ−Ｈ）を決定するように構成された分割部と、
前記デジタルリピータ転送信号の決定のために、前記複合デジタル放送信号から非転送部（ＤＶＢ−Ｔ）を差し引くように構成された転送信号生成部と、
を備えることを特徴とする請求項３４に記載のリピータ。
【請求項３７】
前記複合デジタル放送信号は、送信機側で前記第１のデジタル放送情報（ＤＶＢ−Ｔ）と前記第２のデジタル放送情報（ＤＶＢ−Ｈ）との時分割多重化を通じて生成され、前記分割部は、
デジタル放送ビットストリームの生成のために、リピータ復調スキームおよび送信機キャリア周波数に従って、前記複合デジタル放送信号を周波数シフトし復調するように構成された復調部と、
多重化されたデジタル放送ビットストリームを生成するために、リピータチャネル復号化スキームに従って、前記デジタル放送ビットストリームをチャネル復号化するように構成されたチャネル復号化部と、
第１のデジタル放送ビットストリームまたは第２のデジタル放送ビットストリームであるデジタルリピータビットストリームの抽出のために、前記送信機側で使用されるタイムスロット多重化スキームに従って前記多重化されたデジタル放送ビットストリームを逆多重化するように構成された逆多重化部と、
を備えることを特徴とする請求項３６に記載のリピータ。
【請求項３８】
前記転送信号生成部は、
チャネル符号化されたデジタルリピータ転送ビットストリームの生成のために、リピータチャネル符号化スキームに従って、前記デジタルリピータビットストリームをチャネル符号化するように構成されたチャネル符号化部と、
前記デジタルリピータ転送信号を生成するために、リピータ変調スキームに従って、前記チャネル符号化されたデジタルリピータビットストリームを変調し周波数シフトするように構成された変調部と、
を備えることを特徴とする請求項３７に記載のリピータ。
【請求項３９】
前記転送信号生成部は、伝送速度の修正およびデータバーストの伸長のために、時間軸に沿って前記デジタルリピータビットストリームを再配列するように構成された再配列部を備えることを特徴とする、請求項３８に記載のリピータ。
【請求項４０】
前記転送信号生成部は、チャネル符号化の前に、前記デジタルリピータビットストリームを追加的に前方誤り訂正符号化するように構成された前方誤り訂正符号化部を備えることを特徴とする請求項３８または３９に記載のリピータ。
【請求項４１】
前記転送信号生成部は、チャネル符号化の前に、前記デジタルリピータビットストリーム内の放送データグラムを特定し、特定した前記放送データグラムにプロトコルカプセル化を適用するように構成されたプロトコルカプセル化部を備えることを特徴とする請求項３８乃至４０の何れか１項に記載のリピータ。
【請求項４２】
前記変調部は、リピータキャリア周波数が、複合デジタル放送信号を放送する送信機から少なくとも１台の携帯装置へ、前記複合デジタル放送信号を直接転送するのに使用されるキャリア周波数と同一に設定されるように構成されることを特徴とする請求項３８に記載のリピータ。
【請求項４３】
前記分割部は、
前記複合デジタル放送信号を第１のリピータベースバンド信号に周波数シフトし復調するように構成された復調部と、
送信機側で実行されたベクトルオーバーレイを逆にすることにより、前記第１のベースバンド信号を、前記第１のデジタル放送情報を反映する第１のコンステレーションマッピングされた放送ビットストリームと前記第２のデジタル放送情報を反映する第２のコンステレーションマッピングされた放送ビットストリームとに分離するように構成された分離部であって、ここで、
第１のデジタル放送情報（ＤＶＢ−Ｔ）は、チャネル符号化された前記第１の放送ビットストリームから始まり、第１のコンステレーション図内の複数のコンステレーション点の１つの第１のコンステレーション点にマッピングされ、
第２のデジタル放送情報（ＤＶＢ−Ｈ）は、チャネル符号化された前記第２の放送ビットストリームから始まり、第２のコンステレーション図内の複数のコンステレーション点の１つの第２のコンステレーション点にマッピングされ、
前記ベースバンド信号は、前記第１のコンステレーション点と前記第２のコンステレーション点とのベクトルオーバーレイにより生成されることを想定する、分離部と、
前記リピータから転送するために、前記第１のコンステレーションマッピングされた放送ビットストリームまたは前記第２のコンステレーションマッピングされた放送ビットストリームを選択するように構成された選択部と、
を備えることを特徴とする請求項３６に記載のリピータ。
【請求項４４】
前記転送部は、選択した第１のコンステレーションマッピングされた放送ビットストリームまたは第２のコンステレーションマッピングされた放送ビットストリームを、リピータ転送キャリア周波数に周波数シフトするように構成されることを特徴とする請求項４３に記載のリピータ。
【請求項４５】
前記転送信号生成部は、
分離された第１のコンステレーションマッピングされた放送ビットストリームまたは第２のコンステレーションマッピングされた放送ビットストリームから、第２のリピータベースバンド信号を生成するように構成されたベースバンド信号再構成部と、
前記デジタルリピータ転送信号の生成のために、前記第２のリピータベースバンド信号を変調し周波数シフトするように構成された変調部と、
を備えることを特徴とする請求項４３に記載のリピータ。
【請求項４６】
前記ベースバンド信号再構成部は、
チャネル復号化されたデジタルリピータビットストリームを生成するために、前記逆マッピングされたデジタルリピータビットストリームをチャネル復号化するように構成されたチャネル復号化部と、
前記第２のリピータベースバンド信号の生成のために、前記チャネル復号化されたデジタルリピータビットストリームをチャネル符号化するように構成されたチャネル符号化部と、
を備えることを特徴とする請求項４５に記載のリピータ。
【請求項４７】
前記チャネル復号化されたリピータ転送ビットストリームのチャネル符号化の前に、追加的に前方誤り訂正を実行するように構成された前方誤り訂正部を備えることを特徴とする請求項４５に記載のリピータ。
【請求項４８】
デジタル放送情報送信部の内部メモリに直接ロード可能なコンピュータプログラム製品であって、
前記コンピュータプログラム製品が前記デジタル放送情報送信部のプロセッサで実行されるとき請求項１乃至１０の何れか１項のステップを実行する、ソフトウェアコード部分を備えることを特徴とするコンピュータプログラム製品。
【請求項４９】
デジタル放送情報リピータ部の内部メモリに直接ロード可能なコンピュータプログラム製品であって、
前記コンピュータプログラム製品が前記デジタル放送情報リピータ部のプロセッサで実行されるとき請求項１１乃至２３の何れか１項のステップを実行する、ソフトウェアコード部分を備えることを特徴とするコンピュータプログラム製品。
【発明の詳細な説明】
【技術分野】
【０００１】
本発明は、複合デジタル放送情報、すなわち携帯装置に転送する音声、映像およびマルチメディア情報を運ぶデジタル放送情報の伝送に関する。
【背景技術】
【０００２】
デジタル放送規格に基づく携帯装置向けのアプリケーションコンテンツの放送は、携帯電話機、ＰＤＡ等のような携帯装置にサービスを配信する最新動向に関連する。デジタル放送に基づき、優れたパフォーマンスを実現し、信頼性の高い、高速、高データレート受信等のニーズが満足される。
【０００３】
デジタル放送規格の１つに、１９９７年に発行されたＤＶＢ−Ｔ放送規格があり、携帯ハンドヘルド装置向けに適合されたＤＶＢ−Ｈ規格を通じて、さらに高度化された。ＤＶＢ−Ｈ規格は、電池寿命のような側面も考慮し、携帯ハンドヘルド受信機パフォーマンスを改善する。
【０００４】
さらに、新しいデジタルビデオ放送ハンドヘルドＤＶＢ−Ｈ規格の特徴には、特定のユーザ情報データストリームに属するデータのバースト期間であるタイムスライシングの拡張、ＯＦＤＭ４Ｋモード、および、オプションとしてロバスト性を高めるために追加可能な前方誤り訂正スキームがある。
【０００５】
それ故、ＤＶＢ−Ｔおよび／またはＤＶＢ−Ｈのような規格のいずれかに基づく放送は、多くのユーザに広く到達することができる単一かつ設定可能なサービスである。ＤＶＢ−Ｈ規格は、放送と、携帯装置が移動中に電池で動作できることを保証する一連の手段とを結び合わせ、マルチメディアサービスを提供する。
【０００６】
ＤＶＢ−Ｈ規格は、主として、携帯装置向けのデジタル放送性能を向上するために、ＤＶＢ−Ｔ規格を強化したものである。ここで、屋内でのカバレッジを含むＤＶＢ−Ｈ規格タイプの良好なカバレッジを得るには、標準的なＤＶＢ−Ｔのカバレッジの場合よりも送信機および／またはリピータの密度を高くする必要がある。
【０００７】
ＤＶＢ−Ｈ情報をリピータに配信するコスト効率のよい解決策は、現地にコスト効率よく展開できる複数のリピータ向けに、主送信機からデジタル放送を行うことである。
【０００８】
しかしながら、デジタル放送情報の伝送に現在運用可能な規格を使用する場合、様々な規格の同時実行に問題が生じる。典型的な問題は、少ない周波数リソースの効率的使用、様々な規格に関する後方互換性、およびリピータ数の最少化である。
【発明の開示】
【発明が解決しようとする課題】
【０００９】
上記を考慮して、本発明の目的は、デジタル放送情報、特に携帯装置向けの複合デジタル放送情報の伝送を改善することである。
【課題を解決するための手段】
【００１０】
本発明によれば、この目的は、主送信機から少なくとも１台のリピータにデジタル放送情報を伝送する方法により達成される。本方法は、第１のデジタル放送規格または仕様に準拠する第１のデジタル放送情報を運ぶ、複合デジタル放送信号を生成するステップを備える。さらに、デジタル放送信号は、第２のデジタル放送規格または仕様に準拠する第２のデジタル放送情報も運ぶ。次いで、複合デジタル放送信号は少なくとも１台のリピータに放送され、したがって、第２のデジタル放送情報は、第１のデジタル放送情報の通常の伝送で使用される伝送モードで送信される。言い換えると、本発明では、第１のデジタル放送情報用に当初設定された伝送モードを使用して、リピータに第２のデジタル放送情報を供給することを提案する。
【００１１】
例えばＤＶＢ−ＴとＤＶＢ−Ｈに準拠するなどの、第１のデジタル放送規格と第２のデジタル放送仕様に準拠する複合信号を設定する重要な利点は、特定の伝送速度が第１のデジタル放送仕様のために確保されていると想定して、この確保された伝送速度を第１のデジタル放送情報と第２のデジタル放送情報とに柔軟に配分し、バランスを取ってもよいことである。
【００１２】
第１の伝送モードを追加の第２のデジタル放送情報にも使用する別の重要な利点は、第１のデジタル放送仕様だけに準拠して提供される伝送メカニズムを使用して、追加の伝送のオーバヘッドなしに、この第２のデジタル放送情報は、次に送信機からリピータに転送され得ることである。
【００１３】
主送信機からリピータに放送情報を送信する別の利点は、携帯装置が主送信機に加えリピータからも放送情報を受信してもよいことである。ここで、携帯装置は、主送信機からの信号とリピータからの信号のどちらかを復号してもよい。携帯装置のある場所で品質のよい方のどちらでもよい。
【００１４】
さらに、複合デジタル放送信号を処理するように構成されたリピータの配備は、第１および／または第２のデジタル放送仕様のどちらかに対するカバレッジを拡大する。
【００１５】
本発明の好ましい実施形態によれば、複合デジタル放送信号の生成は、デジタル放送ビットストリーム上に、第１のデジタル放送情報と第２のデジタル放送情報とを時分割多重することに依存する。そのデジタル放送ビットストリームは、複合デジタル放送信号の設定のために、次に符号化および変調される。
【００１６】
それ故、時分割多重は、第１のデジタル放送情報と第２のデジタル放送情報との間、例えばＤＶＢ−ＴモードとＤＶＢ−Ｈモードとの間で、利用可能な伝送速度の交換を可能にする。特定の伝送速度が第２のデジタル放送仕様に配分されていると想定すると、残りの伝送速度は第１のデジタル放送仕様で使用されてもよい。
【００１７】
このやり方で、第２のデジタル放送仕様の導入に伴う第１のデジタル放送仕様に対する容量の減少は、周波数キャリアの全容量から段階的に第１のデジタル放送仕様に対する容量を減少する代わりに、自由に選択され得る。
【００１８】
留意すべきことは、特定のデジタル放送情報（例えばテレビのチャンネル）に対して、関連する伝送速度は、知覚できる品質劣化なしに、例えば１Ｍｂｐｓ減少されてもよいことである。このことは、第１のデジタル放送情報に対する伝送モードを使用して、第２のデジタル放送情報へのバンド内（in-band）配分を可能にする。この第１のデジタル放送情報に対する伝送モードは、第２のデジタル放送情報の伝送モードよりコンパクトであってもよい。
【００１９】
本発明の別の好ましい実施形態では、階層変調を使用して複合デジタル放送信号を生成することを提案する。例えば第２の放送情報に対応する信号が、第１のデジタル放送情報を運ぶ伝送信号上にオーバーレイすなわちスーパーインポーズされる。
【００２０】
本発明のこの態様によれば、第２のデジタル放送情報導入後の第１のデジタル放送に対する残りの伝送容量は、時分割多重による方法より大きい。
【００２１】
本発明のこの好ましい実施形態のまた別の重要な利点は、現場で既に使用されている携帯装置が、第２のデジタル放送がスーパーインポーズされているか否かに無関係に、第１のデジタル情報を依然として受信できることである。言い換えると、このやり方で第２のデジタル放送情報をオーバーレイすることにより、レガシー受信機に問題を引き起こさないで済む。
【００２２】
さらに、第２のデジタル放送情報用のオーバーレイ信号の送信電力は、第１のデジタル放送情報を運ぶ信号との関連で自由に調整されてもよいので、電力比は、リピータでの第２の放送情報の受信のロバスト性と携帯装置での第１の放送情報受信のロバスト性との間のトレードオフで配分されてもよい。
【００２３】
上述の目的は、デジタル放送情報を配信するリピータを動作させる方法および関連装置によっても実現される。本発明の提案は、リピータが、第１のデジタル放送仕様または規格（例えばＤＶＢ−Ｔ）に準拠した第１のデジタル放送情報と、第２のデジタル放送仕様または規格（例えばＤＶＢ−Ｈ）に準拠した第２のデジタル放送情報とを運ぶ、複合デジタル放送信号を受信することである。
【００２４】
第１のオプションとして、リピータは、複合デジタル放送信号を直接転送してもよい。
【００２５】
複合デジタル放送信号をそのまま転送する利点は、第１のデジタル放送仕様と第２のデジタル放送仕様の両方のカバレッジの改善である。
【００２６】
第２のオプションとして、複合デジタル放送信号の第１のデジタル放送情報または第２のデジタル放送情報を反映する信号を転送するデジタルリピータが得られてもよい。
【００２７】
第１のデジタル放送情報と第２のデジタル放送情報のどちらかを運ぶ信号を転送するデジタルリピータを作成する利点は、携帯装置の無線受信状態により適した特定の適切な送信モードを、リピータと携帯装置との間の関連情報の転送に使用してもよいことである。
【００２８】
本発明の別の好ましい実施形態によれば、リピータと携帯装置との間のその伝送の調整は、受信端末において大きな節電を可能にするだろう伝送速度に修正のため、例えば、時間軸に沿ったデジタルビットストリームの再配列であってもよい。また、時間軸に沿ってデジタルビットストリームを再配列する別の理由は、同じユーザ情報データストリームに属する情報を長いバーストに結合することである。
【００２９】
さらに、伝送または例えばＩＰデータグラム・オーバ・ＭＰＥＧ２トランスポートストリーム用にＤＶＢ−Ｈで使用されるマルチプロトコルカプセル化（ＭＰＥ）などの別のプロトコルカプセル化の安定性を向上するために、チャネル符号化の前に前方誤り訂正を適用できよう。
【００３０】
上記をさらに進めて、本発明の別の好ましい実施形態が、これまで説明した原理の組み合わせから引き出される。それは、主送信機が、リピータに伝送信号を供給するのに加えて、リピータが転送のために使用するのと同じまたは異なる周波数で、リピータと同じ伝送信号も放送することである。
【００３１】
ここで、主送信機とリピータからの放送に同じ周波数を使用するとき、受信端末は、主送信機とリピータの両方を合わせたカバレッジを持つ利点がある。
【００３２】
さらに、主送信機がカバレッジを提供してもよい地域では、リピータはまったく必要ない。
【００３３】
またさらに、受信携帯装置は、主送信機とリピータから受信した信号電力を実際に重ね合わせてもよく、主送信機とリピータからの信号電力がかなり低く且つ同じような大きさの地理的地域では特に好都合である。
【００３４】
本発明の別の好ましい実施形態では、デジタル放送情報送信部またはデジタル放送情報リピータ部のプロセッサで実行されるとき、本発明の放送送信プロセスおよび放送反復プロセスを実行するソフトウェアコード部分を備えるコンピュータプログラム製品で、デジタル放送情報送信部またはデジタル放送情報リピータ部の内部メモリに直接ロードできるコンピュータプログラム製品を提供する。
【００３５】
それ故、本発明は、コンピュータまたはプロセッサシステムに、本発明の方法のステップの実装も提供する。要するに、この実装は、コンピュータシステム、またはより具体的には、例えばデジタル放送情報送信部若しくはデジタル放送情報リピータ部が備えるプロセッサで使用する、コンピュータプログラム製品の提供に導く。
【００３６】
本発明の機能を規定する本プログラムは、多くの形態でコンピュータ／プロセッサに配達されてもよい。その形態には、例えばプロセッサまたはコンピュータ入出力機器で読み取り可能なＲＯＭ若しくはＣＤ−ＲＯＭのディスクなどの読み出し専用メモリ装置などの書き込みできない記憶媒体に永久的に格納される情報、書き込み可能な記憶媒体すなわちフロッピー（登録商標）ディスクおよびハードドライブに格納される情報、またはモデム若しくは他のインターフェース装置を通じてネットワークおよび／またはインターネットおよび／または電話網などの通信媒体を経由してコンピュータ／プロセッサに伝達される情報を含むがこれに限定されない。当然のことながら、そのような媒体は、発明概念を実行するプロセッサが読み取り可能な命令を運ぶとき、本発明の代替の実施形態に相当する。
【発明を実施するための最良の形態】
【００３７】
以下では、図面を参照して本発明の最善の形態と好ましい実施形態を説明する。
【００３８】
以下では、本発明を最善の形態とその好ましい実施形態の観点から記述する。以下では、本発明の基礎をなす異なる原理を２つの異なるデジタル放送情報仕様に関して説明するが、基本的に同じ原理が２つを超える異なるデジタル放送情報仕様に適用されてもよいことは明確である。ここで、仕様は規格とも呼ばれる。
【００３９】
また、以下ではデジタル放送情報仕様の例として、ＤＶＢ−Ｔ（Digital Video Broadcast-Terrestrial）とＤＶＢ−Ｈ（Digital Video Broadcasting-Handheld）の放送規格について述べるが、その言及のいずれも、添付の特許請求の範囲に記載される本発明の範囲を限定すると解釈されてはならないことは明確である。
【００４０】
またさらに、本発明の様々な機能が説明される範囲内において、その機能はソフトウェアまたはハードウェアおよび／またはその組み合わせのいずれによっても実装され得ることは明確である。
【００４１】
図１は、本発明の基礎をなす原理を説明する概略図を示す。
【００４２】
図１に示すように、本発明によるデジタル放送システム１０は、少なくとも１台の主送信機１２と少なくとも１台のリピータ１４とを備える。さらに、デジタル放送システム１０内に、少なくともリピータ１４からの信号を受信可能な受信装置１６が動作している。受信装置１６は、オプションで主送信機１２からの信号も受信可能であってもよい。
【００４３】
留意すべきことは、本発明にとって、主送信機、リピータおよび受信装置の間の伝送の種類に制限はなく、有線、無線および／またはパケット交換、あるいはそのどの組み合わせでもよい。
【００４４】
図１に示すように、主送信機１２は、放送信号生成部１８と放送部２０を備える。
【００４５】
動作に関して、放送信号生成部１８は、第１のデジタル放送規格（例えばＤＶＢ−Ｔ）に従う第１のデジタル放送情報と、第２のデジタル放送規格（例えばＤＶＢ−Ｈ）に従う第２のデジタル放送情報とを運ぶ、複合デジタル放送信号を生成するように構成される。
【００４６】
動作に関して、放送部２０は、第２のデジタル放送情報が第１のデジタル放送情報の伝送に使用される伝送モードで送信されるように、複合デジタル信号を放送するように構成される。
【００４７】
言い換えると、本発明によれば、主送信機は、１つのデジタル放送規格（例えばＤＶＢ−Ｔ）に従うモードの伝送を使用するが、２つの放送情報を運ぶ複合デジタル放送信号を設定するように構成される。このことの利点は、主送信機側における複合デジタル放送信号を処理および送信のオーバヘッドが最小限になることである。
【００４８】
図１に示すように、リピータ１４は、主送信機１２から転送された複合デジタル放送信号を受信するように構成された受信部２２と、デジタル放送情報を受信装置１６に転送するように構成された転送部２４とを備える。
【００４９】
動作に関して、受信部２２は、第１のデジタル放送規格（例えばＤＶＢ−Ｔ）に従う第１のデジタル放送情報と、第２のデジタル放送規格（例えばＤＶＢ−Ｈ）に従う第２のデジタル放送情報とを運ぶ、複合デジタル放送信号を受信するように構成される。
【００５０】
さらに動作に関して、転送部２４は、複合デジタル放送信号を転送するように構成されるか、または第２の代替として、第１のデジタル放送情報だけ若しくは第２のデジタル放送情報だけを運ぶ信号を転送するデジタルリピータとして構成されてもよい。
【００５１】
図１に示すように、転送部２４は、分割部２６と転送信号生成部２８を備え、デジタルリピータ転送信号が第１のデジタル放送情報と第２のデジタル放送情報とのどちらを運ぶかを決定するように構成される。
【００５２】
動作に関して、分割部２６は、複合デジタル放送信号の例えばＤＶＢ−Ｈ規格に準拠した部分を転送部分に決定するように構成される。転送部分は、第１のデジタル放送情報と第２のデジタル放送情報とのどちらかを反映する。
【００５３】
また動作に関して、転送信号生成部２８は、複合デジタル放送信号から非転送部分（例えばＤＶＢ−Ｔに関連する部分）を差し引くように構成される。それ故、差し引き後に残るものは、リピータにより転送されるべき複合デジタル放送信号の実質部分である。
【００５４】
本発明による別の態様は、主送信機１２とリピータ１４との間の動作、主送信機１２と受信装置１６との間の通信、またはリピータ１４と受信装置１６との間の通信で使用される周波数に関する。
【００５５】
図１に示すように、第１のオプションでは、主送信機とリピータとの間の通信およびリピータと受信装置との間の通信では、異なる周波数／周波数帯を使用してもよい。
【００５６】
さらに、受信装置１６は、主送信機１２とリピータ１４との間の通信でも使用される周波数を使用するか、リピータ１４と受信装置１６との間の通信で使用される周波数に一致する周波数を使用するかのどちらかで、主送信機１２からも直接放送情報を受信してもよい。
【００５７】
リピータ１４と受信装置１６との間の通信の周波数仕様が、主送信機１２と受信装置１６との間の通信で使用される周波数仕様と異なるとき、受信装置は両方の周波数を受信できるべきである。
【００５８】
それ故、本発明の１つの態様によれば、主送信機は、リピータに信号を供給するだけでなく、リピータ１４への放送で使用するのと同じ周波数を使用するか、または異なる周波数を使用するかのどちらかで、受信装置１６への直接放送もする。後者のやり方は、受信装置１６が主送信機１２とリピータ１４とを合わせたカバレッジを持つことを可能にする。
【００５９】
以下では、本発明による主送信機１２の好ましい実施形態を、図２〜図６を参照して説明する。
【００６０】
図２および図５は、主送信機１２の好ましい実施形態の概略図を示し、図３および図６は、それぞれの実施形態の動作フローチャートを示し、図４は、本発明による階層変調のコンステレーション図を示す。
【００６１】
図２に示すように、本発明の好ましい実施形態による主送信機１２は、放送信号生成部１８と放送部２０を備える。放送信号生成部１８は、多重化部３０、チャネル符号化部３２および変調部３４を備える。オプションで、主送信機１２は、リピータ１４に多重化関連情報を転送するシグナリング部３６を備えてもよく、それに関しては、以下で詳細に説明する。
【００６２】
図３は、図２の主送信機１２の動作フローチャートを示す。
【００６３】
動作に関して、ステップＳ１０では、多重化部３０は、第１のデジタル放送情報と第２のデジタル放送情報とを、デジタル放送ビットストリーム上に時分割多重化を実施する。多重化部３０は、第１のデジタル放送情報と第２のデジタル放送情報との多重伝送のために、第１のデジタル放送情報の伝送のために通常利用可能な伝送データを、例えば所定の多重化スキームやアプリケーション固有の要件に従って、分割してもよい。
【００６４】
図３に示すように、ステップＳ１２では、チャネル符号化部３２は、多重化部３０から出力するデジタル放送ビットストリームに対して、チャネル符号化を実行する。
【００６５】
図３に示すように、ステップＳ１４では、変調周波数シフト部３４は、主送信機１２のキャリア周波数にシフトされたベースバンド信号を生成するために、チャネル符号化されたデジタル放送ビットストリームの変調と周波数シフトを実行する。
【００６６】
さらに動作に関して、主送信機１２のシグナリング部３６は、主送信機における第１のデジタル放送情報と第２のデジタル放送情報との時分割多重で使用する多重化スキームの転送およびシグナリングに使用されてもよい。転送は、複合デジタル放送信号を処理するリピータ１４に向けて実行される。
【００６７】
時分割多重化スキームのシグナリングにより、変化する仕様に応じて時分割多重化スキームを連続して適合させることが可能になる。さらに、複合デジタル放送信号を処理するリピータ１４は、適切な多重化情報をいつも入手することが可能になる。
【００６８】
以下では、主送信機の動作に関連する本発明の別の態様を説明する。この態様は、上述の時分割多重化方法を適用する代わりに、複合デジタル放送信号の生成に階層変調スキームを適用することに関する。
【００６９】
階層変調は、例えばＥＴＳＩ−Ｎ３００  ７４４「デジタルビデオ放送（ＤＶＢ）：デジタル地上波テレビ用のフレーム構造、チャネル符号化および変調」Ｖ１．４．１、２００１年（ETSI-N 300 744 digital video broadcasting DVB; framing structure, channel coding and modulation for digital terrestrial television; V 1.4.1; 2001）などで以前から知られている。この文書に記載される階層変調スキームの問題点は、市販の受信装置１６の中には、階層変調スキームのどの変調レイヤを復号化し以後の処理に使用するかを決定するのに問題を抱え得ることである。さらに、異なるデータストリームの送信電力は、互いに独立して規定することができない。
【００７０】
これらの問題は、図４に示す本発明の階層コンステレーション図を使用して解決される。
【００７１】
図４に示すコンステレーション図は、コンステレーション点の複数のクラスタが規則的にコンステレーション面に配列されている点で階層的である。各クラスタは、それ自体第１レベルの抽象化（abstruction）を規定する。第２レベルの抽象化は、コンステレーション面上の異なるコンステレーション点クラスタの拡がりによって達成される。
【００７２】
図４に示すように、第１レベルの抽象化について、例えば第１の行の最も右のクラスタにより運ばれる情報が、Ｉ＝３およびＱ＝−３に関連すると見なしてもよい。第２レベルの抽象観念に関して、情報は、Ｉ＝３およびＱ＝−３等に関するクラスタ内の各コンステレーション点の相対的位置と見なしてもよい。
【００７３】
図４に示すように、クラスタの配置を第２のデジタル放送情報で使用されるオーバーレイ信号と見なしてもよく、それに対して第１のデジタル放送情報は、コンステレーション面内の様々なクラスタの配列にマッピングされる。それ故、オーバーレイは、第１のデジタル放送情報信号に著しい干渉を起こさない。
【００７４】
さらに、本発明によれば、オーバーレイする信号電力は、第１のデジタル放送情報を構成する信号の信号電力より小さく決定される。さらに、リピータ１４は、目標の品質でオーバーレイ信号を復号してもよい。主送信機１２からリピータ１４への無線リンク品質は、主送信機１２から受信装置１６への無線リンクの品質より一般にはるかによいからである。リピータ１４の受信アンテナは、主送信機１２を見通せる高い位置に設置されてもよい。さらに、リピータ１４は、干渉を著しく減少するために、指向性アンテナを使用してもよい。
【００７５】
さらに、オーバーレイ信号は、オーバーレイされる信号よりロバストな伝送スキームを使用してもよい。例えば、第１のデジタル放送情報は符号化率２／３の１６ＱＡＭを使用して転送されてもよく、第２のデジタル放送情報によるオーバーレイ信号は、符号化率２／３のＱＰＳＫを使用してもよい。
【００７６】
図４は、Ｉ／Ｑ平面内の複合信号コンステレーションの例を示し、第１のデジタル放送情報を運ぶ１６ＱＡＭ信号と第２のデジタル放送情報を運ぶＱＰＳＫ信号との間に２５ｄＢの電力比がある。この場合、ＱＰＳＫに準拠するオーバーレイ信号による１６ＱＡＭに準拠する信号への干渉により、第１のデジタル放送情報の伝送に対するいわゆる準エラーフリー受信要件を維持するためには、１６ＱＡＭ信号は１ｄＢ大きい信号対雑音比を必要とするであろう。
【００７７】
例えば、オーバーレイ用に符号化率２／３を使用するＱＰＳＫ信号の場合、５．７ｄＢの信号対雑音比がライスチャネル（Rice channel）に必要とされるであろう。これについては、ＥＴＳＩ−Ｎ３００  ７４４「デジタルビデオ放送（ＤＶＢ）：デジタル地上波テレビ用のフレーム構造、チャネル符号化および変調」Ｖ１．４．１、２００１年を参照のこと。それ故、オーバーレイ信号用のリンクバジェットは、第１のデジタル放送情報を運ぶ主信号のリンクバジェットより２５ｄＢ−５．７ｄＢ＝１９．３ｄＢ小さいであろう。リンクバジェットが小さいのは、リピータの受信アンテナ利得および主送信機１２からリピータ１４までのラインオブサイト伝播により補償されることが期待され得る。
【００７８】
さらに上記について留意すべきことは、オーバーレイ信号は、ＱＰＳＫ、１６ＱＡＭまたは６４ＱＡＭによる規格に準拠する信号でもよいことである。すなわち、すべて非階層的に変調されており、この場合、複合デジタル放送信号から分離された後、リピータ１４は、新しい周波数でこの信号を単に送信してもよい。
【００７９】
代わりに、オーバーレイ信号は、例えばＤＶＢ−Ｈ物理レイヤ規格など、第２のデジタル放送情報を変換する規格に準拠しない、どの任意の信号構造を使用してもよい。この場合、複合デジタル放送信号から分離後、リピータは、受信オーバーレイ信号から物理レイヤ伝送規格に準拠した新しい信号を作成する必要がある。
【００８０】
さらに、本発明によれば、第１のデジタル放送情報を運ぶ信号がよりロバストな信号形態に、この信号のデータレートを減少する犠牲を払って変更されるとき、オーバーレイ信号の電力は増加されてもよい。
【００８１】
図５は、上記の意味で階層変調を使用する、本発明の実施形態による主送信機１２の概略図を示す。
【００８２】
図５に示すように、主送信機１２は、放送信号生成部１８と放送部２０を備える。第２の実施形態では、放送信号生成部１８の構造が前述の実施形態とは異なる。
【００８３】
図５の放送信号生成部１８は、第１のチャネル符号化部３８、第２のチャネル符号化部４０、第１のコンステレーションマッピング部４２、第２のコンステレーションマッピング部４４、および信号オーバーレイ部４６を備える。
【００８４】
図６は、図５の主送信機１２の動作フローチャートを示す。
【００８５】
図６に示すように、ステップＳ１６で、第１のチャネル符号化部３８が、第１のデジタル放送ビットストリームのチャネル符号化を実行する。さらに、ステップＳ１８では、第２チャネル符号化部４０が、第２のデジタル放送ビットストリームの第２のチャネル符号化を実行する。ステップＳ２０では、第１のコンステレーションマッピング部４２が、チャネル符号化された第１の放送ビットストリームの関連するコンステレーション点へのマッピングを実行する。ステップＳ２２では、第２のコンステレーションマッピング部４４が、チャネル符号化された第２の放送ビットストリームの関連するコンステレーション点へのマッピングを実行する。
【００８６】
ここで図４を考慮して、ステップＳ２０の結果は、コンステレーション面の原点から様々なクラスタの中心を指すベクトルと理解されてもよい。ステップＳ２２の結果は、各クラスタ内のコンステレーション点の１つを指すベクトルと見なされてもよい。
【００８７】
当然のことながら、チャネル符号化された第１と第２のデジタル放送ビットストリームのコンステレーション点へのマッピング後、ステップＳ２４で信号オーバーレイ部が、上述の階層変調スキームを使用して、第１と第２のマッピング結果のオーバーレイを実行する。また、放送部２０は、オーバーレイ結果の主送信機１２で使用されるキャリア周波数へのシフトを実現する。第１のデジタル放送情報の信号電力との関連による、第２のデジタル放送情報の信号電力の調整は、放送部２０が実現する。
【００８８】
本発明の代替実施形態として、オーバーレイと変調のプロセスは、逆でもよい。つまり、チャネル符号化されマッピングされた第１および第２のデジタル放送ビットストリームの各々は、それに続くオーバーレイの前に変調される。
【００８９】
オーバーレイが変調の後になされると想定すると、第１のデジタル放送情報は、チャネル符号化された第１の放送ビットストリームを、階層の第１レベルの第１のコンステレーション図内の複数のコンステレーション点の１つのコンステレーション点へのマッピングを通じてコンステレーションマッピングされる。また、第２のデジタル放送情報は、第２のチャネル符号化放送ビットストリームを、階層の第２レベルによる第２のコンステレーション図内の複数のコンステレーション点の第２のコンステレーション点へのマッピングを通じてコンステレーションマッピングされる。複合マッピングの結果は、第１のコンステレーション点と第２のコンステレーション点のベクトルオーバーレイにより生成される。
【００９０】
上記では、本発明による主送信機１２の異なる実施形態を説明したが、以下では、リピータ１４の動作および関連実施形態を、図７〜図１０を参照して説明する。
【００９１】
注目すべきは、リピータ１４の動作は、主送信機が多重化を使用するか、それとも階層変調を使用するか、ならびに、リピータ１４は受信した複合デジタル放送信号を転送だけするか、それともこの複合デジタル放送信号をデジタルリピータ転送信号の生成のために処理するかどうかに応じて、４つのカテゴリーに分割されうることである。
【００９２】
第１部類の動作は、時分割多重化により生成される複合デジタル放送信号の直接転送に関連する。ここで、直接転送は、主送信機が使用するのと同じリピータ送信機周波数を使用して実現されるか、または主送信機１２が使用するキャリア周波数からリピータ１４の動作用の所定のキャリア周波数にキャリア周波数を変換することにより実現される。
【００９３】
第２部類の動作は、リピータ１４での複合デジタル放送信号の処理に関連する。ここで、動作に関して分割部２６は、複合デジタル放送信号から第１のデジタル放送情報または第２のデジタル放送情報を反映する転送部分を決定するように構成される。さらに、転送信号生成部２８は、複合デジタル放送信号から非転送部分を差し引き、リピートされるデジタル転送信号を生成するように構成される。
【００９４】
図７は、時分割多重された複合デジタル放送信号を処理し、そこから新しいリピータ転送信号を生成するように構成されたリピータ１４の概略図を示す。
【００９５】
図７に示すように、リピータ１４の受信部２２は、復調部４８、チャネル復号化部５０、および逆多重化部５２を備える。
【００９６】
図７の転送信号生成部２８は、変調部５４、チャネル符号化部５６、伝送速度調整部５８、プロトコルカプセル化部６０、および前方誤り訂正部６２を備える。
【００９７】
図８は、図７のリピータ１４の動作フローチャートを示す。
【００９８】
図８に示すように、ステップＳ２６で復調部４８が、受信した複合デジタル放送信号の周波数ダウンコンバージョンと、ベースバンド信号生成のための復調とを実行する。
【００９９】
図８に示すように、ステップＳ２８でチャネル復号化部５０が、ベースバンド信号のチャネル復号化を実行する。次いで、ステップＳ３０で逆多重化部５２が、分割部２６に転送するために、第１と第２のデジタル放送ビットストリームの逆多重化を実行する。
【０１００】
図８で示すように、ステップＳ３２で分割部２６は、転送信号生成部２８の動作の基礎として、およびリピータ転送信号決定の基礎として、第１または第２のデジタル放送ビットストリームのどちらかの選択を実行する。
【０１０１】
リピータ１４が、例えばＱＰＳＫ、１／２レート、ＤＶＢ−Ｈの４Ｋモードなどの異なる物理レイヤモードによる新しい信号を生成すると想定して、転送信号生成部２８は、少なくともチャネル符号化を実行するように構成されるべきである。
【０１０２】
図８のステップＳ３４でチャネル符号化部５６は、分割部２６が出力するデジタルリピータビットストリームのチャネル符号化を実行する。チャネル符号化部５６は、チャネル符号化されたデジタルリピータ転送ビットストリームの生成のために、リピータチャネル符号化スキームを使用する。
【０１０３】
図８のステップＳ３６で変調部５４は、チャネル符号化されたデジタルリピータビットストリームの変調を実行する。ステップＳ３６で変調部５４は、デジタルリピータ転送信号を受信装置１６向けて送信する前に、その生成のために、所定のリピータ転送キャリア周波数への周波数シフトも実行する。
【０１０４】
さらに、図７に示す伝送速度調整部５８、プロトコルカプセル化部６０および前方誤り訂正部６２は、リピータ１４のオプションとして使用されてもよい。
【０１０５】
図８のステップＳ３８で伝送速度調整部５８は、伝送速度の修正のために、時間軸に沿ってデジタルリピータビットストリーム情報の再配列を実行する。また、時間軸に沿ったデジタルビットストリームの再配列の別の理由は、同じユーザ情報データストリームに属する情報が長いバーストに結合されることである。
【０１０６】
図８のステップＳ４０でプロトコルカプセル化部６０は、デジタルリピータビットストリーム内の放送データグラムを特定し、一般符号化の前に特定した放送データグラムにプロトコルカプセル化を適用する。そのカプセル化の一例は、ＭＰＥＧ２トランスポートストリーム上でＩＰデータグラムを送信するために、ＤＶＢ−Ｈで使用されるマルチプロトコルカプセル化（ＭＰＥ）である。
【０１０７】
図８のステップＳ４２で前方誤り訂正部６２は、そのチャネル符号化の前に、追加でデジタルリピートされるビットストリームの前方誤り訂正を実行する。
【０１０８】
上記ではリピータ１４の動作を、異なる放送情報の時分割多重信号からデジタル放送信号の設定に関して説明したが、以下では、リピータ１４の動作を、複合デジタル放送信号のオーバーレイ変調に関して説明する。
【０１０９】
図９は、オーバーレイ変調されたデジタルプロトコル信号を処理するように構成されたリピータ１４の実施形態の概略図を示す。
【０１１０】
図９に示すように、リピータ１４は、復調部６６と分離部６４を有する受信部２２を備える。さらに、リピータ１４は、逆マッピング部６８、チャネル復号化部７０、前方誤り訂正部７２、チャネル再符号化部７４および変調部７６を有する転送信号生成部２８を備える。転送信号生成部２８の要素は、デジタルリピータ転送信号の物理レイヤモードを変更するように動作する。
【０１１１】
図１０は、図９のリピータ１４の動作フローチャートを示す。
【０１１２】
図１０に示すように、ステップＳ４４で復調部６６は、第１のリピータベースバンド信号の生成のために、複合デジタル放送信号の周波数シフトと復調を実行する。
【０１１３】
図１０のステップＳ４６で転送部２４のコントローラ（図９に示されていない）は、選択されたデジタル放送ビットストリームがリピータ１４から直接転送されるかどうか、新しいデジタルリピータ転送信号が、リピータ１４と受信装置１６との伝送の基礎として新しい物理レイヤモードへ適合するように設定されるかどうかを決定するために、問合せを実行する。
【０１１４】
図１０のステップＳ４６の問合せに対する答えが肯定であると、受信した複合デジタル放送信号を直接転送すると決定し、ステップＳ４８で転送部２８が、変調および関連デジタル放送ビットストリームのリピータ転送キャリア周波数への周波数シフトを実行し、次に受信装置１６向けの送信を実行する。
【０１１５】
図１０のステップＳ４６の問合せの結果としてデジタルリピータ転送信号の設定を仮定すると、ステップＳ５０で分離部６４は、逆ベクトルオーバーレイステップにより、第１のベースバンド信号を、第１のデジタル放送情報を反映する第１のコンステレーションマッピング放送ビットストリームと、第２の放送情報を反映する第２のコンステレーション放送ビットストリームとに分離する。
【０１１６】
逆ベクトルオーバーレイは、図４に示すように、第１のデジタル放送情報は、第１のチャネル符号化放送ビットストリームを第１のコンステレーション図内の複数のコンステレーション点の第１のコンステレーション点にマッピング後、送信されたと想定して実行される。
【０１１７】
さらに、逆ベクトルオーバーレイは、図４に示すように、第２のデジタル放送情報は、第２のチャネル符号化放送ビットストリームを第２のコンステレーション図内の複数のコンステレーション点の第２のコンステレーション点にマッピング後、送信されたと想定して実行される。さらに、送信機側のベースバンド信号は、第１のコンステレーション点と第２のコンステレーション点のベクトルオーバーレイにより生成されたと想定している。
【０１１８】
図１０のステップＳ５２で分割部２６は、デジタルリピータ転送信号を設定するために、第１のコンステレーションマッピングされた放送ビットストリームと第２のコンステレーションマッピングされた放送ビットストリームのどちらかの選択を実行する。
【０１１９】
図１０のステップＳ５４で逆マッピング部６８は、逆マッピングされたデジタルリピータビットストリームの生成のために、分離された第１のコンステレーションマッピングされた放送ビットストリームまたは第２のコンステレーションマッピングされた放送ビットストリームの逆マッピングを実行する。次いで、ステップＳ５６でチャネル復号化部７０は、チャネル復号化されたデジタルリピータビットストリームの生成のために、逆マッピングされたリピータビットストリームのチャネル復号化を実行する。
【０１２０】
図１０のステップＳ５８でチャネル再符号化部７４は、第２のすなわち新しいデジタルリピータビットストリームの生成のために、チャネル復号化されたデジタルリピータビットビットストリームのチャネル再符号化を実行する。オプションで、ステップＳ６０で前方誤り訂正部７２は、チャネル復号化されたリピータ転送ビットストリームのチャネル再符号化の前に、追加の前方誤り訂正を実行する。
【０１２１】
図１０のステップＳ４８で変調部７６は、デジタルリピータ転送信号の設定のために、チャネル再符号化の結果の変調およびリピータキャリア周波数への周波数変換を実行する。
【０１２２】
上記のように、本発明の提案は、主送信機１２と少なくとも１台のリピータ１４との間での放送情報の交換と、それに続く少なくとも１つの受信部への転送とに関して、効率的なやり方で異なるデジタル放送規格の適用を統合することである。主送信機１２は、時分割多重化とオーバーレイ変調のどちらを適用してもよい。
【０１２３】
さらに、リピータ１４は、主送信機側での時分割多重化若しくはオーバーレイ変調の適用に応じて、および、リピータ１４から受信装置１６へのデータ送信の前にリピータ転送信号を直接送信するかそれとも再構成するかに応じて、４つの動作カテゴリーで動作してもよい。
【図面の簡単な説明】
【０１２４】
【図１】本発明の基礎をなす原理を説明する概略図である。
【図２】本発明の第１の実施形態による主送信機の概略図である。
【図３】図２の主送信機の動作フローチャートである。
【図４】本発明の第２の実施形態による主送信機の概略図である。
【図５】図４の主送信機の動作フローチャートである。
【図６】本発明による階層変調のコンステレーション図である。
【図７】本発明の第３の実施形態によるリピータの概略図である。
【図８】図７のリピータの動作フローチャートである。
【図９】本発明の第４の実施形態によるリピータの概略図である。
【図１０】図９のリピータの動作フローチャートである。
【図１】
2008524943.tif 000003
【図２】
2008524943.tif 000004
【図３】
2008524943.tif 000005
【図４】
2008524943.tif 000006
【図５】
2008524943.tif 000007
【図６】
2008524943.tif 000008
【図７】
2008524943.tif 000009
【図８】
2008524943.tif 000010
【図９】
2008524943.tif 000011
【図１０】
2008524943.tif 000012
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
主送信機から少なくとも１台のリピータにデジタル放送情報を伝送する方法であって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運ぶ複合デジタル放送信号を、前記第２のデジタル放送仕様（ＤＶＢ−Ｈ）に対応する信号を前記第１のデジタル放送情報を運ぶ伝送信号上にオーバーレイする階層化変調を使用して生成するステップと、
前記複合デジタル放送信号を放送するステップと、
を備え、前記第２のデジタル放送情報（ＤＶＢ−Ｈ）は、前記第１のデジタル放送情報（ＤＶＢ−Ｔ）の伝送で使用される伝送モードで送信されることを特徴とする方法。
【請求項２】
前記複合デジタル放送信号の生成は、
第１のデジタル放送ビットストリームの第１のチャネル符号化ステップと、
第２のデジタル放送ビットストリームの第２のチャネル符号化ステップと、
チャネル符号化された前記第１の放送ビットストリームの第１のコンステレーションマッピングステップと、
チャネル符号化された前記第２の放送ビットストリームの第２のコンステレーションマッピングステップと、
複合コンステレーションマッピング結果の生成のために、前記第１のコンステレーションマッピング結果と前記第２のコンステレーションマッピング結果とのオーバーレイを生成するステップと、
変調および送信機キャリア周波数への周波数シフトを実行するステップと、
を備え、前記第２のデジタル放送情報（ＤＶＢ−Ｈ）の信号電力は、前記第１のデジタル放送情報（ＤＶＢ−Ｔ）の信号電力より小さくなるように調整されることを特徴とする請求項１に記載の方法。
【請求項３】
前記複合コンステレーションマッピング結果は、
チャネル符号化された前記第１の放送ビットストリームを、第１のコンステレーション図内の複数のコンステレーション点の１つの第１のコンステレーション点にマッピングするステップと、
チャネル符号化された前記第２の放送ビットストリームを、第２のコンステレーション図内の複数のコンステレーション点の１つの第２のコンステレーション点にマッピングするステップと、
前記第１のコンステレーション点と前記第２のコンステレーション点とのベクトルオーバーレイにより、前記複合コンステレーションマッピング結果を生成するステップと、
による階層変調を使用して生成されることを特徴とする請求項２に記載の方法。
【請求項４】
第２のコンステレーション図内の前記複数のコンステレーション点は、前記第１のコンステレーション図内のコンステレーション点の周りに群がることを特徴とする請求項３に記載の方法。
【請求項５】
前記変調し周波数シフトするステップは、前記デジタル放送情報を前記少なくとも１台のリピータに転送するために、前記ベースバンド信号を第１のキャリア周波数にシフトすることを特徴とする請求項１に記載の方法。
【請求項６】
前記周波数シフトするステップは、さらに、前記デジタル放送情報を少なくとも１台の携帯装置に直接転送するために、前記ベースバンド信号を第２のキャリア周波数にシフトすることを特徴とする請求項５に記載の方法。
【請求項７】
前記第２のキャリア周波数は、前記ベースバンド信号を前記少なくとも１台の携帯装置に転送するために、前記少なくとも１台のリピータが使用するキャリア周波数と同一であることを特徴とする請求項６に記載の方法。
【請求項８】
デジタル放送情報の配信のためにリピータを動作する方法であって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運び、前記第２のデジタル放送仕様（ＤＶＢ−Ｈ）に対応する信号は前記第１のデジタル放送情報を運ぶ伝送信号上に階層化変調を使用してオーバーレイされている複合デジタル放送信号を受信するステップと、
前記複合デジタル放送信号、または、前記第１のデジタル放送情報または前記第２のデジタル放送情報を運ぶデジタルリピータ転送信号を転送するステップと、
を備えることを特徴とする方法。
【請求項９】
前記複合デジタル放送信号を転送するステップは、送信機で使用される第１のキャリア周波数から前記リピータで使用される第２のキャリア周波数へ、前記複合デジタル放送信号を周波数シフトするステップにより実行されることを特徴とする請求項８に記載の方法。
【請求項１０】
前記デジタルリピータ転送信号を導出するステップは、
前記複合デジタル放送信号から、第１のデジタル放送情報または第２のデジタル放送情報を反映する転送部分（ＤＶＢ−Ｈ）を決定するステップと、
前記デジタルリピータ転送信号の決定のために、前記複合デジタル放送信号から非転送部分（ＤＶＢ−Ｔ）を差し引くステップと、
を備えることを特徴とする請求項８に記載の方法。
【請求項１１】
前記転送部分（ＤＶＢ−Ｈ）を決定するステップは、
前記複合デジタル放送信号を第１のリピータベースバンド信号に周波数シフトし復調するステップと、
送信機側で実行されたベクトルオーバーレイステップを逆にすることにより、前記第１のベースバンド信号を、前記第１のデジタル放送情報を反映する逆マッピングされた第１の放送ビットストリームと前記第２のデジタル放送情報を反映する逆マッピングされた第２の放送ビットストリームとに分離するステップであって、ここで、
第１のデジタル放送情報（ＤＶＢ−Ｔ）は、チャネル符号化された前記第１の放送ビットストリームから始まり、第１のコンステレーション図内の複数のコンステレーション点の１つの第１のコンステレーション点にマッピングされ、
第２のデジタル放送情報（ＤＶＢ−Ｈ）は、チャネル符号化された前記第２の放送ビットストリームから始まり、第２のコンステレーション図内の複数のコンステレーション点の１つの第２のコンステレーション点にマッピングされ、
前記ベースバンド信号は、前記第１のコンステレーション点と前記第２のコンステレーション点とのベクトルオーバーレイにより生成されることを想定する、ステップと、
前記リピータから転送するために、コンステレーションマッピングされた前記第１の放送ビットストリームまたはコンステレーションマッピングされた前記第２の放送ビットストリームを選択するステップと、
を備えることを特徴とする請求項１０に記載の方法。
【請求項１２】
前記デジタルリピータ転送信号を導出するステップは、選択された第１のコンステレーションマッピングされた放送ビットストリームまたは第２のコンステレーションマッピングされた放送ビットストリームを変調しリピータ転送キャリア周波数に周波数シフトするステップを備えることを特徴とする請求項１１に記載の方法。
【請求項１３】
前記デジタルリピータ転送信号を導出するステップは、
分離された第１のコンステレーション逆マッピングされた放送ビットストリームまたは第２のコンステレーション逆マッピングされた放送ビットストリームから第２のリピータベースバンド信号を生成するステップと、
前記デジタルリピータ転送信号の生成のために、前記第２のリピータベースバンド信号を変調し周波数シフトするステップと、
を備えることを特徴とする請求項１１に記載の方法。
【請求項１４】
分離された第１のコンステレーション逆マッピングされた放送ビットストリームまたは第２のコンステレーション逆マッピングされた放送ビットストリームから第２のリピータベースバンド信号を生成する前記ステップは、
チャネル復号化されたデジタルリピータビットストリームを生成するために、前記逆マッピングされたデジタルリピータビットストリームをチャネル復号化するステップと、
前記第２のリピータベースバンド信号の生成のために、前記チャネル復号化されたデジタルリピータビットストリームをチャネル再符号化するステップと、
を備えることを特徴とする請求項１３に記載の方法。
【請求項１５】
前記チャネル復号化されたリピータ転送ビットストリームのチャネル符号化の前に、前方誤り訂正する追加的なステップを備えることを特徴とする請求項１４に記載の方法。
【請求項１６】
デジタル放送情報を送信する送信機であって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運ぶ複合デジタル放送信号を、前記第２のデジタル放送仕様（ＤＶＢ−Ｈ）に対応する信号を前記第１のデジタル放送情報を運ぶ伝送信号上にオーバーレイする階層化変調を使用して生成するように構成された放送信号生成部と、
前記第１のデジタル放送情報（ＤＶＢ−Ｔ）の伝送に使用される伝送モードで、前記複合デジタル放送信号を少なくとも１台のリピータに放送するように構成された放送部と、
を備えることを特徴とする送信機。
【請求項１７】
前記放送信号生成部は、
第１のデジタル放送ビットストリームをチャネル符号化するように構成された第１のチャネル符号化部と、
第２のデジタル放送ビットストリームをチャネル符号化するように構成された第２のチャネル符号化部と、
チャネル符号化された前記第１の放送ビットストリームをコンステレーションマッピングするように構成された第１のコンステレーションマッピング部と、
チャネル符号化された前記第２の放送ビットストリームをコンステレーションマッピングするように構成された第２のコンステレーションマッピング部と、
複合コンステレーションマッピング結果の生成のために、前記第１のコンステレーションマッピング結果と前記第２のコンステレーションマッピング結果とをオーバーレイするように構成されたオーバーレイ部と、
を備え、前記放送部は、送信機キャリア周波数で前記複合コンステレーションマッピング結果を放送するように構成され、前記第２のデジタル放送情報（ＤＶＢ−Ｈ）の信号電力を前記第１のデジタル放送情報（ＤＶＢ−Ｔ）の信号電力より小さくなるように調整することを特徴とする請求項１６に記載の送信機。
【請求項１８】
前記第１のコンステレーションマッピング部は、チャネル符号化された前記第１の放送ビットストリームを、第１のコンステレーション図内の複数のコンステレーション点の１つの第１のコンステレーション点にマッピングするように構成され、
前記第２のコンステレーションマッピング部は、チャネル符号化された前記第２の放送ビットストリームを、第２のコンステレーション図内の複数のコンステレーション点の１つの第２のコンステレーション点にマッピングするように構成され、
前記オーバーレイ部は、前記第１のコンステレーションマッピング部の出力と前記第２のコンステレーションマッピング部の出力とのベクトルオーバーレイにより、前記複合コンステレーション結果を生成するように構成される
ことを特徴とする請求項１７に記載の送信機。
【請求項１９】
前記第２の変調部は、前記第１の変調部により操作される前記第１のコンステレーション図内のコンステレーション点の周りに群がる、第２のコンステレーション図内の複数のコンステレーション点を操作することを特徴とする請求項１８に記載の送信機。
【請求項２０】
前記放送部は、少なくとも１台のリピータに前記デジタル放送情報を転送するために、変調しベースバンド信号を第１のキャリア周波数にシフトするように構成されることを特徴とする、請求項１６に記載の送信機。
【請求項２１】
前記放送部は、少なくとも１台の携帯装置に前記デジタル放送情報を直接転送するために、前記ベースバンド信号を第２のキャリア周波数にシフトするように構成されることを特徴とする請求項２０に記載の送信機。
【請求項２２】
前記第２のキャリア周波数は、前記ベースバンド信号を前記少なくとも１台の携帯装置に転送するために、前記少なくとも１台のリピータが使用するキャリア周波数と同一であることを特徴とする請求項２１に記載の送信機。
【請求項２３】
少なくとも１台の携帯装置にデジタル放送情報を配信するリピータであって、
第１のデジタル放送仕様（ＤＶＢ−Ｔ）に準拠する第１のデジタル放送情報と第２のデジタル放送仕様（ＤＶＢ−Ｈ）に準拠する第２のデジタル放送情報とを運び、前記第２のデジタル放送仕様（ＤＶＢ−Ｈ）に対応する信号は前記第１のデジタル放送情報を運ぶ伝送信号上に階層化変調を使用してオーバーレイされている複合デジタル放送信号を受信するように構成された受信部と、
前記複合デジタル放送信号、または、前記第１のデジタル放送情報または前記第２のデジタル放送情報を運ぶデジタルリピータ転送信号を転送するように構成された転送部と、
を備えることを特徴とするリピータ。
【請求項２４】
前記転送部は、送信機で使用される第１のキャリア周波数から前記リピータで使用される第２のキャリア周波数へ前記複合デジタル放送信号を周波数シフトすることにより、前記複合デジタル放送信号を転送するように構成されることを特徴とする請求項２３に記載のリピータ。
【請求項２５】
前記転送部は、
前記複合デジタル放送信号から、第１のデジタル放送情報または第２のデジタル放送情報を反映する転送部分（ＤＶＢ−Ｈ）を決定するように構成された分割部と、
前記デジタルリピータ転送信号の決定のために、前記複合デジタル放送信号から非転送部（ＤＶＢ−Ｔ）を差し引くように構成された転送信号生成部と、
を備えることを特徴とする請求項２４に記載のリピータ。
【請求項２６】
前記分割部は、
前記複合デジタル放送信号を第１のリピータベースバンド信号に周波数シフトし復調するように構成された復調部と、
送信機側で実行されたベクトルオーバーレイを逆にすることにより、前記第１のベースバンド信号を、前記第１のデジタル放送情報を反映する第１のコンステレーションマッピングされた放送ビットストリームと前記第２のデジタル放送情報を反映する第２のコンステレーションマッピングされた放送ビットストリームとに分離するように構成された分離部であって、ここで、
第１のデジタル放送情報（ＤＶＢ−Ｔ）は、チャネル符号化された前記第１の放送ビットストリームから始まり、第１のコンステレーション図内の複数のコンステレーション点の１つの第１のコンステレーション点にマッピングされ、
第２のデジタル放送情報（ＤＶＢ−Ｈ）は、チャネル符号化された前記第２の放送ビットストリームから始まり、第２のコンステレーション図内の複数のコンステレーション点の１つの第２のコンステレーション点にマッピングされ、
前記ベースバンド信号は、前記第１のコンステレーション点と前記第２のコンステレーション点とのベクトルオーバーレイにより生成されることを想定する、分離部と、
前記リピータから転送するために、前記第１のコンステレーションマッピングされた放送ビットストリームまたは前記第２のコンステレーションマッピングされた放送ビットストリームを選択するように構成された選択部と、
を備えることを特徴とする請求項２５に記載のリピータ。
【請求項２７】
前記転送部は、選択した第１のコンステレーションマッピングされた放送ビットストリームまたは第２のコンステレーションマッピングされた放送ビットストリームを、リピータ転送キャリア周波数に周波数シフトするように構成されることを特徴とする請求項２６に記載のリピータ。
【請求項２８】
前記転送信号生成部は、
分離された第１のコンステレーションマッピングされた放送ビットストリームまたは第２のコンステレーションマッピングされた放送ビットストリームから、第２のリピータベースバンド信号を生成するように構成されたベースバンド信号再構成部と、
前記デジタルリピータ転送信号の生成のために、前記第２のリピータベースバンド信号を変調し周波数シフトするように構成された変調部と、
を備えることを特徴とする請求項２６に記載のリピータ。
【請求項２９】
前記ベースバンド信号再構成部は、
チャネル復号化されたデジタルリピータビットストリームを生成するために、前記逆マッピングされたデジタルリピータビットストリームをチャネル復号化するように構成されたチャネル復号化部と、
前記第２のリピータベースバンド信号の生成のために、前記チャネル復号化されたデジタルリピータビットストリームをチャネル符号化するように構成されたチャネル符号化部と、
を備えることを特徴とする請求項２８に記載のリピータ。
【請求項３０】
前記チャネル復号化されたリピータ転送ビットストリームのチャネル符号化の前に、追加的に前方誤り訂正を実行するように構成された前方誤り訂正部を備えることを特徴とする請求項２８に記載のリピータ。
【請求項３１】
デジタル放送情報送信部の内部メモリに直接ロード可能なコンピュータプログラム製品であって、
前記コンピュータプログラム製品が前記デジタル放送情報送信部のプロセッサで実行されるとき請求項１乃至７の何れか１項のステップを実行する、ソフトウェアコード部分を備えることを特徴とするコンピュータプログラム製品。
【請求項３２】
リピータ部の内部メモリに直接ロード可能なコンピュータプログラム製品であって、
前記コンピュータプログラム製品がデジタル放送情報送信部のプロセッサで実行されるとき請求項８乃至１５の何れか１項のステップを実行する、ソフトウェアコード部分を備えることを特徴とするコンピュータプログラム製品。
【手続補正２】
【補正対象書類名】明細書
【補正対象項目名】０００２
【補正方法】変更
【補正の内容】
【０００２】
欧州特許出願ＥＰ１３３７１１２Ａ１には、複数周波数の地上デジタル網のためのデジタルテレビジョン信号の伝送方法が記述されている。ここで、デジタルテレビジョン信号にはテレビ番組各々を表す複数の要素バイナリストリームが含まれ、いわゆるＰＳＵ／ＳＵテーブルパケット、ＰＣＲパケットおよびｎｕｌｌパケットとともに単一の低容量トランスポートストリームに多重化される。そして、トランスポートストリームは、地上アンテナから放送するために変調され複数の地上局に伝送される。変調の前に、ＰＡＴ，ＳＤＴ，ＮＩＴ，ｅＥＩＴのタイプのＰＳＩ／ＳＩテーブルを転送するパケットは、各々のＰＩＤをサテライト受信のために予約されていない値から選択される各々の所定の隠しＰＩＤ値に置換することによりマスクされ、そして、”優先度”ビットが設定される。結果として得られるトランスポートストリームは転送のための高容量トランスポートストリームを生成するため、さらに再多重化される。受信においては、設定されない”優先度”ビットを有するパケットは、ｎｕｌｌとしてマークされ、先立って隠されたＰＳＩ／ＳＩテーブルを伝送するパケット内のオリジナルのＰＩＤが復元される。
デジタル放送規格に基づく携帯装置向けのアプリケーションコンテンツの放送は、携帯電話機、ＰＤＡ等のような携帯装置にサービスを配信する最新動向に関連する。デジタル放送に基づき、優れたパフォーマンスを実現し、信頼性の高い、高速、高データレート受信等のニーズが満足される。
【手続補正３】
【補正対象書類名】明細書
【補正対象項目名】０００３
【補正方法】変更
【補正の内容】
【０００３】
デジタル放送規格の１つに、１９９７年に発行されたＤＶＢ−Ｔ放送規格があり、携帯ハンドヘルド装置向けに適合されたＤＶＢ−Ｈ規格を通じて、さらに高度化された（「"DVB-H outline", Henriksson J., December 9, 2003」を参照）。ＤＶＢ−Ｈ規格は、電池寿命のような側面も考慮し、携帯ハンドヘルド受信機パフォーマンスを改善する。
【手続補正４】
【補正対象書類名】明細書
【補正対象項目名】００１０
【補正方法】変更
【補正の内容】
【００１０】
本発明によれば、この目的は、主送信機から少なくとも１台のリピータにデジタル放送情報を伝送する、請求項１の特徴を有する方法により達成される。本方法は、第１のデジタル放送規格または仕様に準拠する第１のデジタル放送情報を運ぶ、複合デジタル放送信号を生成するステップを備える。さらに、デジタル放送信号は、第２のデジタル放送規格または仕様に準拠する第２のデジタル放送情報も運ぶ。次いで、複合デジタル放送信号は少なくとも１台のリピータに放送され、したがって、第２のデジタル放送情報は、第１のデジタル放送情報の通常の伝送で使用される伝送モードで送信される。言い換えると、本発明では、第１のデジタル放送情報用に当初設定された伝送モードを使用して、リピータに第２のデジタル放送情報を供給することを提案する。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
本発明によれば、階層変調を使用して複合デジタル放送信号を生成することを提案する。例えば第２の放送情報に対応する信号が、第１のデジタル放送情報を運ぶ伝送信号上にオーバーレイすなわちスーパーインポーズされる。
【国際調査報告】
2008524943.tif 000013
2008524943.tif 000014
2008524943.tif 000015